(57)【要約】【課題】本発明は気持ちニット帽を開示した。【解決手段】帽子を含み、前記帽子の頂端には底半球が設置されており、前記底半球の頂端には頂半球が設置されており、前記底半球と前記頂半球の間には接続撥条が弾性的に設置されており、前記底半球の中には呼吸装置が設置されており、前記頂半球の中には照明装置が設置されており、前記底半球の中には虹装置が設置されており、本発明は結構が簡単で、生産に便利で、保温する同時に頭物の役目を立ち、三原色混合を利用して多種の色を映して、使用者の気持ちを表現し、そのためこの設備は高い使用と広がる価値がある。【選択図】図１
2020147880.tif 000002
【特許請求の範囲】
【請求項１】
帽子を含み、前記帽子の頂端には底半球が設置されており、前記底半球の頂端には頂半球が設置されており、前記底半球と前記頂半球の間には接続撥条が弾性的に設置されており、前記底半球の中には呼吸装置が設置されており、前記頂半球の中には照明装置が設置されており、前記底半球の中には虹装置が設置されており、前記虹装置の中には制御装置が設置されており、前記底半球の中には動力チャンバが設置されており、前記動力チャンバの中には駆動装置が設置されており、前記駆動装置は前記動力チャンバの頂端に固定的に設置されるモーターを含み、前記動力チャンバの中には前記モーターと伝動できるように接続されるメイン軸が設置されており、前記メイン軸の外壁にはメイン歯車が設置されており、前記メイン軸の底端にはメイン傘歯車が設置されている；この設備は前記照明装置を使って前記虹装置を照らして異なる色を映し出し、着用者の気持ちの変化を目立たせることを特徴とする気持ちニット帽。
【請求項２】
前記呼吸装置は前記動力チャンバの底壁の中に設置される右チャンバを含み、前記右チャンバの左壁の中にはベルトチャンバが設置されており、前記右チャンバの中には延伸軸が設置されており、前記延伸軸の右端には従傘歯車が設置されており、前記延伸軸の左端にはメインプーリが設置されており、前記ベルトチャンバの左壁の中には呼吸チャンバが設置されており、前記呼吸チャンバの中にはカム軸が設置されており、前記カム軸の右端には従プーリが設置されており、前記従プーリと前記メインプーリの間には第一ベルトが設置されており、前記カム軸の左端にはカムが設置されている；前記呼吸装置によってニット帽の独特な形状を目立たせることを特徴とする請求項１に記載の気持ちニット帽。
【請求項３】
前記虹装置は前記底半球の中に設置される赤チャンバを含み、前記赤チャンバの中には赤板がスライドできるように設置されており、前記赤チャンバの中には赤回転軸が設置されており、前記赤回転軸の左端には赤リールが設置されており、前記赤リールと前記赤板との底端が赤板接続紐によって接続され、前記赤チャンバの左壁の中には黄色チャンバが設置されており、前記黄色チャンバの中には右軸が設置されており、前記右軸の左端には黄色リールが設置されており、前記黄色チャンバの中には黄色板がスライドできるように設置されており、前記黄色板と前記黄色リールの間が黄色板接続紐によって接続されており、前記右軸の右端には歯車が設置されており、前記黄色チャンバの中には黄色回転軸が設置されており、前記黄色回転軸の左端には下歯車が設置されており、前記右軸の左壁の中には青チャンバが設置されており、前記青チャンバの中には左軸が設置されており、前記左軸の左端には青リールが設置されており、前記青チャンバの中には青板がスライドできるように設置されており、前記青板と前記青リールとが青板接続紐によって接続され、前記左軸の右端には副プーリが設置されており、板接続紐前記青チャンバの中には青回転軸が設置されており、前記青回転軸の左端には正プーリが設置されており、前記正プーリと前記副プーリとの間には第二ベルトが伝動できるように設置されている；前記虹装置は三原色原理によって多様な色を表せることを特徴とする請求項１に記載の気持ちニット帽。
【請求項４】
前記制御装置は前記動力チャンバの底壁の中に設置される分配チャンバを含み、前記分配チャンバの中には三組の前記制御装置が設置されており、ここはその中の一組を例として詳しく説明し、前記分配チャンバの左壁の中には制御チャンバが設置されており、前記赤回転軸（黄色回転軸、青回転軸）の右端と制御チャンバの端壁との間には力蓄え撥条が設置されており、前記分配チャンバの中には縦軸が設置されており、前記縦軸の外壁には正傘歯車が設置されており、前記縦軸の頂端には従歯車が設置されており、前記制御チャンバの中には横軸が設置されており、前記横軸の右端には副傘歯車が設置されており、前記制御チャンバの中には前記横軸及び前記赤回転軸とスプラインによって係合されるスリーブ軸が設置されており、前記スリーブ軸の外壁にはラチェットが設置されており、前記制御チャンバの頂壁には歯止めが設置されており、前記スリーブ軸の外壁には回転ブロックが設置されており、前記制御チャンバの右壁の中には電磁溝が設置されており、前記電磁溝の中には永久磁石が設置されており、前記永久磁石と前記回転ブロックとが固定的に接続され、前記永久磁石と前記電磁溝の右壁の間にはリセット撥条が弾性に設置されており、前記電磁溝の右壁の中には電磁石が設置されている；前記制御装置は前記虹装置の中の三色変化を制御できることを特徴とする請求項３に記載の気持ちニット帽。
【請求項５】
前記照明装置は前記頂半球の中に設置される光溝を含み、前記光溝の中にはスライダがスライドできるように設置されており、前記スライダの底端には光源が固定的に設置されており、前記スライダと前記光溝の頂端との間には伸縮撥条が弾性的に設置されている；前記照明装置は前記虹装置を照らすことに使われることを特徴とする請求項１に記載の気持ちニット帽。
【発明の詳細な説明】
【技術分野】
【０００１】
本発明はニット分野を取り上げて、具体的には気持ちニット帽である。
【背景技術】
【０００２】
ニット帽は常に寒さを防ぐために冠る帽子であり、誰も美を求める心を持っていると言われ、それに皆は自分の個性を示したく、ところが今、ニット帽の外観はほぼ同じ、結構も似ており、個人の個性の差を示されなく、そのため、本発明は個人の個性を目立たせるニット帽を設計するつもりである。
【先行技術文献】
【特許文献】
【０００３】
【特許文献１】中国特許出願公開第１０９３３００４５号明細書
【発明の概要】
【発明が解決しようとする課題】
【０００４】
本発明の目的は気持ちニット帽を提供し、現有技術の上記欠点を克服する。
【課題を解決するための手段】
【０００５】
本発明の気持ちニット帽は、帽子を含み、前記帽子の頂端には底半球が設置されており、前記底半球の頂端には頂半球が設置されており、前記底半球と前記頂半球の間には接続撥条が弾性的に設置されており、前記底半球の中には呼吸装置が設置されており、前記頂半球の中には照明装置が設置されており、前記底半球の中には虹装置が設置されており、前記虹装置の中には制御装置が設置されており、前記底半球の中には動力チャンバが設置されており、前記動力チャンバの中には駆動装置が設置されており、前記駆動装置は前記動力チャンバの頂端に固定的に設置されるモーターを含み、前記動力チャンバの中には前記モーターと伝動できるように接続されるメイン軸が設置されており、前記メイン軸の外壁にはメイン歯車が設置されており、前記メイン軸の底端にはメイン傘歯車が設置されている；この設備は前記照明装置を使って前記虹装置を照らして異なる色を映し出し、着用者の気持ちの変化を目立たせる。
【０００６】
更なる技術方案、前記呼吸装置は前記動力チャンバの底壁の中に設置される右チャンバを含み、前記右チャンバの左壁の中にはベルトチャンバが設置されており、前記右チャンバの中には延伸軸が設置されており、前記延伸軸の右端には従傘歯車が設置されており、前記延伸軸の左端にはメインプーリが設置されており、前記ベルトチャンバの左壁の中には呼吸チャンバが設置されており、前記呼吸チャンバの中にはカム軸が設置されており、前記カム軸の右端には従プーリが設置されており、前記従プーリと前記メインプーリの間には第一ベルトが設置されており、前記カム軸の左端にはカムが設置されている；前記呼吸装置によってニット帽の独特な形状を目立たせる。
【０００７】
更なる技術方案、前記虹装置は前記底半球の中に設置される赤チャンバを含み、前記赤チャンバの中には赤板がスライドできるように設置されており、前記赤チャンバの中には赤回転軸が設置されており、前記赤回転軸の左端には赤リールが設置されており、前記赤リールと前記赤板との底端が赤板接続紐によって接続され、前記赤チャンバの左壁の中には黄色チャンバが設置されており、前記黄色チャンバの中には右軸が設置されており、前記右軸の左端には黄色リールが設置されており、前記黄色チャンバの中には黄色板がスライドできるように設置されており、前記黄色板と前記黄色リールの間が黄色板接続紐によって接続されており、前記右軸の右端には歯車が設置されており、前記黄色チャンバの中には黄色回転軸が設置されており、前記黄色回転軸の左端には下歯車が設置されており、前記右軸の左壁の中には青チャンバが設置されており、前記青チャンバの中には左軸が設置されており、前記左軸の左端には青リールが設置されており、前記青チャンバの中には青板がスライドできるように設置されており、前記青板と前記青リールとが青板接続紐によって接続され、前記左軸の右端には副プーリが設置されており、板接続紐前記青チャンバの中には青回転軸が設置されており、前記青回転軸の左端には正プーリが設置されており、前記正プーリと前記副プーリとの間には第二ベルトが伝動できるように設置されている；前記虹装置は三原色原理によって多様な色を表せる。
【０００８】
更なる技術方案、前記制御装置は前記動力チャンバの底壁の中に設置される分配チャンバを含み、前記分配チャンバの中には三組の前記制御装置が設置されており、ここはその中の一組を例として詳しく説明し、前記分配チャンバの左壁の中には制御チャンバが設置されており、前記赤回転軸（黄色回転軸、青回転軸）の右端と制御チャンバの端壁との間には力蓄え撥条が設置されており、前記分配チャンバの中には縦軸が設置されており、前記縦軸の外壁には正傘歯車が設置されており、前記縦軸の頂端には従歯車が設置されており、前記制御チャンバの中には横軸が設置されており、前記横軸の右端には副傘歯車が設置されており、前記制御チャンバの中には前記横軸及び前記赤回転軸とスプラインによって係合されるスリーブ軸が設置されており、前記スリーブ軸の外壁にはラチェットが設置されており、前記制御チャンバの頂壁には歯止めが設置されており、前記スリーブ軸の外壁には回転ブロックが設置されており、前記制御チャンバの右壁の中には電磁溝が設置されており、前記電磁溝の中には永久磁石が設置されており、前記永久磁石と前記回転ブロックとが固定的に接続され、前記永久磁石と前記電磁溝の右壁の間にはリセット撥条が弾性に設置されており、前記電磁溝の右壁の中には電磁石が設置されている；前記制御装置は前記虹装置の中の三色変化を制御できる。
【０００９】
更なる技術方案、前記照明装置は前記頂半球の中に設置される光溝を含み、前記光溝の中にはスライダがスライドできるように設置されており、前記スライダの底端には光源が固定的に設置されており、前記スライダと前記光溝の頂端との間には伸縮撥条が弾性的に設置されている；前記照明装置は前記虹装置を照らすことに使われる。
【発明の効果】
【００１０】
本発明の有益な効果は下記の通りである：
【００１１】
本発明は結構が簡単で、生産に便利で、保温する同時に頭物の役目を立ち、三原色混合を利用して多種の色を映して、使用者の気持ちを表現し、そのためこの設備は高い使用と広がる価値がある。
【図面の簡単な説明】
【００１２】
【図１】図１は本発明の気持ちニット帽の全体構成模式図であり；
【図２】図２は図１のＡの構成模式図であり；
【図３】図３は図２のＢの構成模式図であり；
【図４】図４は図３のＣの構成模式図である。
【発明を実施するための形態】
【００１３】
以下は図１−４を参照し本発明を詳しく説明し、その中、便利に叙述するように、現在は後文に出る方位を下記の通りに規定する：後文に出る上下左右前後方向は図１本体の投影関係の上下左右前後方向と一致する。
【００１４】
図１−４に示されるように、本発明の気持ちニット帽は、帽子１１を含み、前記帽子１１の頂端には底半球１２が設置されており、前記底半球１２の頂端には頂半球１４が設置されており、前記底半球１２と前記頂半球の間には接続撥条１３が弾性的に設置されており、前記底半球１２の中には呼吸装置１００が設置されており、前記頂半球１４の中には照明装置４００が設置されており、前記底半球１２の中には虹装置２００が設置されており、前記虹装置２００の中には制御装置３００が設置されており、前記底半球１２の中には動力チャンバ３４が設置されており、前記動力チャンバ３４の中には駆動装置５００が設置されており、前記駆動装置５００は前記動力チャンバ３４の頂端に固定的に設置されるモーター３５を含み、前記動力チャンバ３４の中には前記モーター３５と伝動できるように接続されるメイン軸３０が設置されており、前記メイン軸３０の外壁にはメイン歯車３３が設置されており、前記メイン軸３０の底端にはメイン傘歯車２９が設置されている；この設備は前記照明装置４００を使って前記虹装置２００を照らして異なる色を映し出し、着用者の気持ちの変化を目立たせる。
【００１５】
有益なように、前記呼吸装置１００は前記動力チャンバ３４の底壁の中に設置される右チャンバ２８を含み、前記右チャンバ２８の左壁の中にはベルトチャンバ２３が設置されており、前記右チャンバ２８の中には延伸軸２６が設置されており、前記延伸軸２６の右端には従傘歯車２７が設置されており、前記延伸軸２６の左端にはメインプーリ２５が設置されており、前記ベルトチャンバ２３の左壁の中には呼吸チャンバ１９が設置されており、前記呼吸チャンバ１９の中にはカム軸２１が設置されており、前記カム軸２１の右端には従プーリ２２が設置されており、前記従プーリ２２と前記メインプーリ２５の間には第一ベルト２４が設置されており、前記カム軸２１の左端にはカム２０が設置されている；前記呼吸装置１００によってニット帽の独特な形状を目立たせる。
【００１６】
有益なように、前記虹装置２００は前記底半球１２の中に設置される赤チャンバ４２を含み、前記赤チャンバ４２の中には赤板３６がスライドできるように設置されており、前記赤チャンバ４２の中には赤回転軸９４が設置されており、前記赤回転軸９４の左端には赤リール４３が設置されており、前記赤リール４３と前記赤板３６との底端が赤板接続紐３７によって接続され、前記赤チャンバ４２の左壁の中には黄色チャンバ９５が設置されており、前記黄色チャンバ５４の中には右軸４５が設置されており、前記右軸４５の左端には黄色リール９５が設置されており、前記黄色チャンバ５４の中には黄色板３８がスライドできるように設置されており、前記黄色板３８と前記黄色リールの間が黄色板接続紐３９によって接続されており、前記右軸４５の右端には歯車４４が設置されており、前記黄色チャンバ５４の中には黄色回転軸５５が設置されており、前記黄色回転軸５５の左端には下歯車５３が設置されており、前記右軸４５の左壁の中には青チャンバ５０が設置されており、前記青チャンバ５０の中には左軸４７が設置されており、前記左軸４７の左端には青リール４６が設置されており、前記青チャンバ５０の中には青板４１がスライドできるように設置されており、前記青板４１と前記青リール４６とが青板接続紐４０によって接続され、前記左軸４７の右端には副プーリ４８が設置されており、板接続紐前記青チャンバ５０の中には青回転軸５２が設置されており、前記青回転軸５２の左端には正プーリ５１が設置されており、前記正プーリ５１と前記副プーリ４８との間には第二ベルト４９が伝動できるように設置されている；前記虹装置２００は三原色原理によって多様な色を表せる。
【００１７】
有益なように、前記制御装置３００は前記動力チャンバ３４の底壁の中に設置される分配チャンバ８５を含み、前記分配チャンバ８５の中には三組の前記制御装置３００が設置されており、ここはその中の一組を例として詳しく説明し、前記分配チャンバ８５の左壁の中には制御チャンバ６７が設置されており、前記赤回転軸９４（黄色回転軸５５、青回転軸５２）の右端と制御チャンバ６７の端壁との間には力蓄え撥条６８が設置されており、前記分配チャンバ８５の中には縦軸３１が設置されており、前記縦軸３１の外壁には正傘歯車５８が設置されており、前記縦軸３１の頂端には従歯車３２が設置されており、前記制御チャンバ６７の中には横軸５６が設置されており、前記横軸５６の右端には副傘歯車５７が設置されており、前記制御チャンバ６７の中には前記横軸５６及び前記赤回転軸９４とスプラインによって係合されるスリーブ軸６４が設置されており、前記スリーブ軸６４の外壁にはラチェット６５が設置されており、前記制御チャンバ６７の頂壁には歯止め６６が設置されており、前記スリーブ軸６４の外壁には回転ブロック６３が設置されており、前記制御チャンバ６７の右壁の中には電磁溝６０が設置されており、前記電磁溝６０の中には永久磁石６２が設置されており、前記永久磁石６２と前記回転ブロック６３とが固定的に接続され、前記永久磁石６２と前記電磁溝６０の右壁の間にはリセット撥条６１が弾性に設置されており、前記電磁溝６０の右壁の中には電磁石５９が設置されている；前記制御装置３００は前記虹装置２００の中の三色変化を制御できる。
【００１８】
有益なように、前記照明装置４００は前記頂半球１４の中に設置される光溝１７を含み、前記光溝１７の中にはスライダ１６がスライドできるように設置されており、前記スライダ１６の底端には光源１５が固定的に設置されており、前記スライダ１６と前記光溝１７の頂端との間には伸縮撥条１８が弾性的に設置されている；前記照明装置４００は前記虹装置２００を照らすことに使われる。
【００１９】
初期状態の時、頂半球１４と底半球１２とが係合され、電磁石５９がまだ通電していなく、ラチェット６５と歯止め６６とが係合状態から離脱する；
【００２０】
この設備を使用する時、使用者がニット帽を頭に冠り、モーター３５が作業開始してメイン軸３０によってメイン傘歯車２９と、メイン歯車３３を回転連動させ、メイン傘歯車２９は次々に傘歯車２７と、延伸軸２６と、メインプーリ２５と、従プーリ２２とカム軸２１によってカム２０を回転連動させ、更に頂半球１４を上下にスライド連動させ、同時に、使用者は気持ちによってカラー板を選び、三組の電磁石５９のその一つ又は二つが通電し、永久磁石６２と回転ブロック６３によってスリーブ軸６４を左へスライド連動させ、スリーブ軸６４が赤回転軸９４（又は黄色回転軸５５、又は青回転軸５２）と係合され、メイン歯車３３が順に従歯車３２と、縦軸３１と、正傘歯車５８と、副傘歯車５７と、横軸５６と、スリーブ軸６４と、赤回転軸９４（又は黄色回転軸５５、又は青回転軸５２）と、赤リール４３（又は下歯車５３と、上歯車４４、右軸４５、黄色リール９５、又は正プーリ５１、副プーリ４８、左軸４７、青リール４６）と赤板接続紐３７（又は黄色板接続紐３９、又は青板接続紐４０）によって赤板３６（又は黄色板３８、又は青板４１）を上へスライド連動させ、また光源１５に照らされて異なる色を映し、使用者の異なる気持ちを目立たせる。
【００２１】
本発明の有益な効果は：本発明は結構が簡単で、生産に便利で、保温する同時に頭物の役目を立ち、三原色混合を利用して多種の色を映して、使用者の気持ちを表現し、そのためこの設備は高い使用と広がる価値がある。
【００２２】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020147880.tif 000003
【図２】
2020147880.tif 000004
【図３】
2020147880.tif 000005
【図４】
2020147880.tif 000006
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
帽子を含み、前記帽子の頂端には底半球が設置されており、前記底半球の頂端には頂半球が設置されており、前記底半球と前記頂半球の間には接続撥条が弾性的に設置されており、前記底半球の中には前記頂半球を前記底半球に対して上下にスライド連動させる呼吸装置が設置されており、前記頂半球の中には光を発する照明装置が設置されており、前記底半球の中には前記照明装置の光をスライド可能な赤板，黄色板，青板を介することで変色して映す虹装置が設置されており、前記虹装置の中には制御装置が設置されており、前記底半球の中には動力チャンバが設置されており、前記動力チャンバの中には駆動装置が設置されており、前記駆動装置は前記動力チャンバの頂端に固定的に設置されるモーターを含み、前記動力チャンバの中には前記モーターと伝動できるように接続されるメイン軸が設置されており、前記メイン軸の外壁には前記虹装置と伝動するメイン歯車が設置されており、前記メイン軸の底端には前記呼吸装置と伝動するメイン傘歯車が設置されている；前記頂半球の上下のスライド連動によって前記頂半球と前記底半球との係合が外れ、前記照明装置を使って前記虹装置を照らして赤板，黄色板，青板による三原色混合による異なる色を前記帽子の外に映し出すことを特徴とする気持ちニット帽。
【請求項２】
前記呼吸装置は前記動力チャンバの底壁の中に設置される右チャンバを含み、前記右チャンバの左壁の中にはベルトチャンバが設置されており、前記右チャンバの中には延伸軸が設置されており、前記延伸軸の右端には従傘歯車が設置されており、前記延伸軸の左端にはメインプーリが設置されており、前記ベルトチャンバの左壁の中には呼吸チャンバが設置されており、前記呼吸チャンバの中にはカム軸が設置されており、前記カム軸の右端には従プーリが設置されており、前記従プーリと前記メインプーリの間には第一ベルトが設置されており、前記カム軸の左端にはカムが設置されている；前記カムの動作により前記頂半球をスライド連動させてニット帽の動きによる独特な形状を目立たせることを特徴とする請求項１に記載の気持ちニット帽。
【請求項３】
前記虹装置は前記底半球の中に設置される赤チャンバを含み、前記赤チャンバの中には赤板がスライドできるように設置されており、前記赤チャンバの中には赤回転軸が設置されており、前記赤回転軸の左端には赤リールが設置されており、前記赤リールと前記赤板との底端が赤板接続紐によって接続され、前記赤チャンバの左壁の中には黄色チャンバが設置されており、前記黄色チャンバの中には右軸が設置されており、前記右軸の左端には黄色リールが設置されており、前記黄色チャンバの中には黄色板がスライドできるように設置されており、前記黄色板と前記黄色リールの間が黄色板接続紐によって接続されており、前記右軸の右端には歯車が設置されており、前記黄色チャンバの中には黄色回転軸が設置されており、前記黄色回転軸の左端には下歯車が設置されており、前記右軸の左壁の中には青チャンバが設置されており、前記青チャンバの中には左軸が設置されており、前記左軸の左端には青リールが設置されており、前記青チャンバの中には青板がスライドできるように設置されており、前記青板と前記青リールとが青板接続紐によって接続され、前記左軸の右端には副プーリが設置されており、板接続紐前記青チャンバの中には青回転軸が設置されており、前記青回転軸の左端には正プーリが設置されており、前記正プーリと前記副プーリとの間には第二ベルトが伝動できるように設置されている；前記虹装置は三原色原理によって多様な色を表せることを特徴とする請求項１に記載の気持ちニット帽。
【請求項４】
前記制御装置は前記動力チャンバの底壁の中に設置される分配チャンバを含み、前記分配チャンバの中には三組の前記制御装置が設置されており、各々の前記制御装置は、
前記分配チャンバの左壁の中には制御チャンバが設置されており、前記赤回転軸，前記黄色回転軸，前記青回転軸の右端と制御チャンバの端壁との間には力蓄え撥条が設置されており、前記分配チャンバの中には縦軸が設置されており、前記縦軸の外壁には正傘歯車が設置されており、前記縦軸の頂端には従歯車が設置されており、前記制御チャンバの中には横軸が設置されており、前記横軸の右端には副傘歯車が設置されており、前記制御チャンバの中には前記横軸及び前記赤回転軸，前記黄色回転軸，前記青回転軸とスプラインによって係合されるスリーブ軸が設置されており、前記スリーブ軸の外壁にはラチェットが設置されており、前記制御チャンバの頂壁には歯止めが設置されており、前記スリーブ軸の外壁には回転ブロックが設置されており、前記制御チャンバの右壁の中には電磁溝が設置されており、前記電磁溝の中には永久磁石が設置されており、前記永久磁石と前記回転ブロックとが固定的に接続され、前記永久磁石と前記電磁溝の右壁の間にはリセット撥条が弾性に設置されており、前記電磁溝の右壁の中には電磁石が設置されている；前記制御装置は前記虹装置の中の三色変化を制御できることを特徴とする請求項３に記載の気持ちニット帽。
【請求項５】
前記照明装置は前記頂半球の中に設置される光溝を含み、前記光溝の中にはスライダがスライドできるように設置されており、前記スライダの底端には光源が固定的に設置されており、前記スライダと前記光溝の頂端との間には伸縮撥条が弾性的に設置されている；前記照明装置は前記虹装置を照らすことに使われることを特徴とする請求項１に記載の気持ちニット帽。
【手続補正２】
【補正対象書類名】明細書
【補正対象項目名】全文
【補正方法】変更
【補正の内容】
【発明の詳細な説明】
【技術分野】
【０００１】
本発明はニット分野を取り上げて、具体的には気持ちニット帽である。
【背景技術】
【０００２】
ニット帽は常に寒さを防ぐために冠る帽子であり、誰も美を求める心を持っていると言われ、それに皆は自分の個性を示したく、ところが今、ニット帽の外観はほぼ同じ、構造も似ており、個人の個性の差を示されなく、そのため、本発明は個人の個性を目立たせるニット帽を設計するつもりである。
【先行技術文献】
【特許文献】
【０００３】
【特許文献１】中国特許出願公開第１０９３３００４５号明細書
【発明の概要】
【発明が解決しようとする課題】
【０００４】
本発明の目的は気持ちニット帽を提供し、現有技術の上記欠点を克服する。
【課題を解決するための手段】
【０００５】
本発明の気持ちニット帽は、帽子を含み、前記帽子の頂端には底半球が設置されており、前記底半球の頂端には頂半球が設置されており、前記底半球と前記頂半球の間には接続撥条が弾性的に設置されており、前記底半球の中には前記頂半球を上下にスライド連動させる呼吸装置が設置されており、前記頂半球の中には光を発する照明装置が設置されており、前記底半球の中には前記照明装置の光をスライド可能な赤板，黄色板，青板を介することで変色して映す虹装置が設置されており、前記虹装置の中には制御装置が設置されており、前記底半球の中には動力チャンバが設置されており、前記動力チャンバの中には駆動装置が設置されており、前記駆動装置は前記動力チャンバの頂端に固定的に設置されるモーターを含み、前記動力チャンバの中には前記モーターと伝動できるように接続されるメイン軸が設置されており、前記メイン軸の外壁には前記虹装置と伝動するメイン歯車が設置されており、前記メイン軸の底端には前記呼吸装置と伝動するメイン傘歯車が設置されている；前記頂半球の上下のスライド連動によって前記頂半球と前記底半球との係合が外れ、前記照明装置を使って前記虹装置を照らして赤板，黄色板，青板による三原色混合による異なる色を前記帽子の外に映し出すことで、着用者の気持ちの変化を目立たせる。
【０００６】
更なる技術方案、前記呼吸装置は前記動力チャンバの底壁の中に設置される右チャンバを含み、前記右チャンバの左壁の中にはベルトチャンバが設置されており、前記右チャンバの中には延伸軸が設置されており、前記延伸軸の右端には従傘歯車が設置されており、前記延伸軸の左端にはメインプーリが設置されており、前記ベルトチャンバの左壁の中には呼吸チャンバが設置されており、前記呼吸チャンバの中にはカム軸が設置されており、前記カム軸の右端には従プーリが設置されており、前記従プーリと前記メインプーリの間には第一ベルトが設置されており、前記カム軸の左端にはカムが設置されている；前記カムの動作により頂半球を上下にスライド連動させる；前記呼吸装置によってニット帽の独特な動きによる形状を目立たせる。
【０００７】
更なる技術方案、前記虹装置は前記底半球の中に設置される赤チャンバを含み、前記赤チャンバの中には赤板がスライドできるように設置されており、前記赤チャンバの中には赤回転軸が設置されており、前記赤回転軸の左端には赤リールが設置されており、前記赤リールと前記赤板との底端が赤板接続紐によって接続され、前記赤チャンバの左壁の中には黄色チャンバが設置されており、前記黄色チャンバの中には右軸が設置されており、前記右軸の左端には黄色リールが設置されており、前記黄色チャンバの中には黄色板がスライドできるように設置されており、前記黄色板と前記黄色リールの間が黄色板接続紐によって接続されており、前記右軸の右端には歯車が設置されており、前記黄色チャンバの中には黄色回転軸が設置されており、前記黄色回転軸の左端には下歯車が設置されており、前記右軸の左壁の中には青チャンバが設置されており、前記青チャンバの中には左軸が設置されており、前記左軸の左端には青リールが設置されており、前記青チャンバの中には青板がスライドできるように設置されており、前記青板と前記青リールとが青板接続紐によって接続され、前記左軸の右端には副プーリが設置されており、板接続紐前記青チャンバの中には青回転軸が設置されており、前記青回転軸の左端には正プーリが設置されており、前記正プーリと前記副プーリとの間には第二ベルトが伝動できるように設置されている；前記虹装置は三原色原理によって多様な色を表せる。
【０００８】
更なる技術方案、前記制御装置は前記動力チャンバの底壁の中に設置される分配チャンバを含み、前記分配チャンバの中には三組の前記制御装置が設置されており、ここはその中の一組を例として詳しく説明し、前記分配チャンバの左壁の中には制御チャンバが設置されており、前記赤回転軸（黄色回転軸、青回転軸）の右端と制御チャンバの端壁との間には力蓄え撥条が設置されており、前記分配チャンバの中には縦軸が設置されており、前記縦軸の外壁には正傘歯車が設置されており、前記縦軸の頂端には従歯車が設置されており、前記制御チャンバの中には横軸が設置されており、前記横軸の右端には副傘歯車が設置されており、前記制御チャンバの中には前記横軸及び前記赤回転軸とスプラインによって係合されるスリーブ軸が設置されており、前記スリーブ軸の外壁にはラチェットが設置されており、前記制御チャンバの頂壁には歯止めが設置されており、前記スリーブ軸の外壁には回転ブロックが設置されており、前記制御チャンバの右壁の中には電磁溝が設置されており、前記電磁溝の中には永久磁石が設置されており、前記永久磁石と前記回転ブロックとが固定的に接続され、前記永久磁石と前記電磁溝の右壁の間にはリセット撥条が弾性に設置されており、前記電磁溝の右壁の中には電磁石が設置されている；前記制御装置は前記虹装置の中の三色変化を制御できる。
【０００９】
更なる技術方案、前記照明装置は前記頂半球の中に設置される光溝を含み、前記光溝の中にはスライダがスライドできるように設置されており、前記スライダの底端には光源が固定的に設置されており、前記スライダと前記光溝の頂端との間には伸縮撥条が弾性的に設置されている；前記照明装置は前記虹装置を照らすことに使われる。
【発明の効果】
【００１０】
本発明の有益な効果は下記の通りである：
【００１１】
本発明は構造が簡単で、生産に便利で、保温する同時に頭物の役目を立ち、三原色混合を利用して多種の色を映して、使用者の気持ちを表現し、そのためこの設備は高い使用と広がる価値がある。
【図面の簡単な説明】
【００１２】
【図１】図１は本発明の気持ちニット帽の全体構成模式図であり；
【図２】図２は図１のＡの構成模式図であり；
【図３】図３は図２のＢの構成模式図であり；
【図４】図４は図３のＣの構成模式図である。
【発明を実施するための形態】
【００１３】
以下は図１−４を参照し本発明を詳しく説明し、その中、便利に叙述するように、現在は後文に出る方位を下記の通りに規定する：後文に出る上下左右前後方向は図１本体の投影関係の上下左右前後方向と一致する。
【００１４】
図１−４に示されるように、本発明の気持ちニット帽は、帽子１１を含み、前記帽子１１の頂端には底半球１２が設置されており、前記底半球１２の頂端には頂半球１４が設置されており、前記底半球１２と前記頂半球の間には接続撥条１３が弾性的に設置されており、前記底半球１２の中には前記頂半球１４を前記底半球１２に対して上下にスライド連動させる呼吸装置１００が設置されており、前記頂半球１４の中には光を発する照明装置４００が設置されており、前記底半球１２の中には前記照明装置４００の光をスライド可能な赤板，黄色板，青板を介することで変色して映す虹装置２００が設置されており、前記虹装置２００の中には制御装置３００が設置されており、前記底半球１２の中には動力チャンバ３４が設置されており、前記動力チャンバ３４の中には駆動装置５００が設置されており、前記駆動装置５００は前記動力チャンバ３４の頂端に固定的に設置されるモーター３５を含み、前記動力チャンバ３４の中には前記モーター３５と伝動できるように接続されるメイン軸３０が設置されており、前記メイン軸３０の外壁にはメイン歯車３３が設置されており、前記メイン軸３０の底端にはメイン傘歯車２９が設置されている；この設備は前記照明装置４００を使って前記虹装置２００を照らして異なる色を映し出し、着用者の気持ちの変化を目立たせる。
【００１５】
有益なように、前記呼吸装置１００は前記動力チャンバ３４の底壁の中に設置される右チャンバ２８を含み、前記右チャンバ２８の左壁の中にはベルトチャンバ２３が設置されており、前記右チャンバ２８の中には延伸軸２６が設置されており、前記延伸軸２６の右端には従傘歯車２７が設置されており、前記延伸軸２６の左端にはメインプーリ２５が設置されており、前記ベルトチャンバ２３の左壁の中には呼吸チャンバ１９が設置されており、前記呼吸チャンバ１９の中にはカム軸２１が設置されており、前記カム軸２１の右端には従プーリ２２が設置されており、前記従プーリ２２と前記メインプーリ２５の間には第一ベルト２４が設置されており、前記カム軸２１の左端にはカム２０が設置されている；前記呼吸装置１００によってニット帽の動きによる独特な形状を目立たせる。
【００１６】
有益なように、前記虹装置２００は前記底半球１２の中に設置される赤チャンバ４２を含み、前記赤チャンバ４２の中には赤板３６がスライドできるように設置されており、前記赤チャンバ４２の中には赤回転軸９４が設置されており、前記赤回転軸９４の左端には赤リール４３が設置されており、前記赤リール４３と前記赤板３６との底端が赤板接続紐３７によって接続され、前記赤チャンバ４２の左壁の中には黄色チャンバ５４が設置されており、前記黄色チャンバ５４の中には右軸４５が設置されており、前記右軸４５の左端には黄色リール９５が設置されており、前記黄色チャンバ５４の中には黄色板３８がスライドできるように設置されており、前記黄色板３８と前記黄色リールの間が黄色板接続紐３９によって接続されており、前記右軸４５の右端には歯車４４が設置されており、前記黄色チャンバ５４の中には黄色回転軸５５が設置されており、前記黄色回転軸５５の左端には下歯車５３が設置されており、前記右軸４５の左壁の中には青チャンバ５０が設置されており、前記青チャンバ５０の中には左軸４７が設置されており、前記左軸４７の左端には青リール４６が設置されており、前記青チャンバ５０の中には青板４１がスライドできるように設置されており、前記青板４１と前記青リール４６とが青板接続紐４０によって接続され、前記左軸４７の右端には副プーリ４８が設置されており、前記青チャンバ５０の中には青回転軸５２が設置されており、前記青回転軸５２の左端には正プーリ５１が設置されており、前記正プーリ５１と前記副プーリ４８との間には第二ベルト４９が伝動できるように設置されている；前記虹装置２００は三原色原理によって多様な色を表せる。
【００１７】
有益なように、前記制御装置３００は前記動力チャンバ３４の底壁の中に設置される分配チャンバ８５を含み、前記分配チャンバ８５の中には三組の前記制御装置３００が設置されており、ここはその中の一組を例として詳しく説明し、前記分配チャンバ８５の左壁の中には制御チャンバ６７が設置されており、前記赤回転軸９４（黄色回転軸５５、青回転軸５２）の右端と制御チャンバ６７の端壁との間には力蓄え撥条６８が設置されており、前記分配チャンバ８５の中には縦軸３１が設置されており、前記縦軸３１の外壁には正傘歯車５８が設置されており、前記縦軸３１の頂端には従歯車３２が設置されており、前記制御チャンバ６７の中には横軸５６が設置されており、前記横軸５６の右端には副傘歯車５７が設置されており、前記制御チャンバ６７の中には前記横軸５６及び前記赤回転軸９４とスプラインによって係合されるスリーブ軸６４が設置されており、前記スリーブ軸６４の外壁にはラチェット６５が設置されており、前記制御チャンバ６７の頂壁には歯止め６６が設置されており、前記スリーブ軸６４の外壁には回転ブロック６３が設置されており、前記制御チャンバ６７の右壁の中には電磁溝６０が設置されており、前記電磁溝６０の中には永久磁石６２が設置されており、前記永久磁石６２と前記回転ブロック６３とが固定的に接続され、前記永久磁石６２と前記電磁溝６０の右壁の間にはリセット撥条６１が弾性に設置されており、前記電磁溝６０の右壁の中には電磁石５９が設置されている；前記制御装置３００は前記虹装置２００の中の三色変化を制御できる。
【００１８】
有益なように、前記照明装置４００は前記頂半球１４の中に設置される光溝１７を含み、前記光溝１７の中にはスライダ１６がスライドできるように設置されており、前記スライダ１６の底端には光源１５が固定的に設置されており、前記スライダ１６と前記光溝１７の頂端との間には伸縮撥条１８が弾性的に設置されている；前記照明装置４００は前記虹装置２００を照らすことに使われる。
【００１９】
初期状態の時、頂半球１４と底半球１２とが係合され、電磁石５９がまだ通電していなく、ラチェット６５と歯止め６６とが係合状態から離脱する；
【００２０】
この設備を使用する時、使用者がニット帽を頭に冠り、モーター３５が作業開始してメイン軸３０によってメイン傘歯車２９と、メイン歯車３３を回転連動させ、メイン傘歯車２９は次々に傘歯車２７と、延伸軸２６と、メインプーリ２５と、従プーリ２２とカム軸２１によってカム２０を回転連動させ、更に頂半球１４を上下にスライド連動させ、同時に、使用者は気持ちによってカラー板を選び、三組の電磁石５９のその一つ又は複数が通電し、永久磁石６２と回転ブロック６３によってスリーブ軸６４を左へスライド連動させ、スリーブ軸６４が赤回転軸９４・黄色回転軸５５・青回転軸５２と係合され、メイン歯車３３が順に従歯車３２と、縦軸３１と、正傘歯車５８と、副傘歯車５７と、横軸５６と、スリーブ軸６４と、赤回転軸９４・黄色回転軸５５・青回転軸５２と、赤リール４３（及び／又は下歯車５３と、上歯車４４、右軸４５、黄色リール９５、及び／又は正プーリ５１、副プーリ４８、左軸４７、青リール４６）と赤板接続紐３７・黄色板接続紐３９・青板接続紐４０によって赤板３６・黄色板３８・青板４１を上へスライド連動させ、また光源１５に照らされて異なる色を映し、使用者の異なる気持ちを目立たせる。
【００２１】
本発明の有益な効果は：本発明は構造が簡単で、生産に便利で、保温する同時に頭物の役目を立ち、三原色混合を利用して多種の色を映して、使用者の気持ちを表現し、そのためこの設備は高い使用と広がる価値がある。
【００２２】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正３】
【補正対象書類名】図面
【補正対象項目名】図３
【補正方法】変更
【補正の内容】
【図３】
2020147880.tif 000007